(57)【要約】【課題】  配管図形データに、この配管図形データを縮小させるデータ処理を施して小縮尺配管図形データを作成する際に、このデータ処理に伴って、作成される小縮尺配管図形データが見づらくなるのを防止する。【解決手段】  布設管路の大縮尺配管図面１に関する大縮尺配管図形データ２に、大縮尺配管図形データ２を縮小させるデータ処理を施して、大縮尺配管図面１よりも縮尺の小さい小縮尺配管図面３に関する小縮尺配管図形データ１６を作成する方法において、大縮尺配管図形データ２が有する複数の図形データのうちの第１の図形データと第２の図形データとの図形上の距離が、前記データ処理に伴って所定の距離よりも短くなった場合に、修正処理として、小縮尺配管図形データ１６における第１の図形データまたは第２の図形データの少なくともいずれか一方を移動させ、前記第１の図形データと前記第２の図形データとの距離を図形上離すものである。【選択図】      図１
2005128265.tif 000002
【特許請求の範囲】
【請求項１】
布設管路の配管図面に関する配管図形データに、前記配管図形データを縮小させるデータ処理を施して、前記配管図面よりも縮尺の小さい小縮尺配管図面に関する小縮尺配管図形データを作成する方法において、前記配管図形データが有する複数の図形データのうちの第１の図形データと第２の図形データとの図形上の距離が、前記データ処理に伴って所定の距離よりも短くなった場合に、修正処理として、前記小縮尺配管図形データにおける第１の図形データまたは第２の図形データの少なくともいずれか一方を移動させ、前記第１の図形データと前記第２の図形データとの距離を図形上離すことを特徴とする小縮尺配管図形データの作成方法。
【請求項２】
配管図形データにおける複数の図形データのそれぞれに、それぞれの図形データから一定の範囲内で表される指定領域と、前記図形データを移動させる時の移動量である移動距離とを設定し、前記配管図形データを縮小させるデータ処理に伴って、第１の図形データにおける前記指定領域内に、第２の図形データが入り込んだときには、修正処理として、前記第１の図形データまたは前記第２の図形データの少なくともどちらか一方を、設定された移動距離だけ移動させ、前記第１の図形データにおける指定領域内から前記第２の図形データを出すことを特徴とする請求項１記載の小縮尺配管図形データの作成方法。
【請求項３】
布設管路の配管図面に関する配管図形データに、前記配管図形データを縮小させるデータ処理を施して、前記配管図面よりも縮尺の小さい小縮尺配管図面に関する小縮尺配管図形データを作成する方法において、前記配管図形データが、前記配管図形データにおける図形に関する事項を表示する複数の表示データを有しており、前記複数の表示データのそれぞれに、前記複数の表示データのそれぞれを表示するための表示領域を設定し、前記データ処理に伴って、前記複数の表示データのうちの第１の表示データにおける前記表示領域内に、第２の表示データが入り込んだときには、修正処理として、前記第１の表示データまたは前記第２の表示データのどちらか一方を非表示にすることを特徴とする小縮尺配管図形データの作成方法。
【請求項４】
布設管路の配管図面に関する配管図形データに、前記配管図形データを縮小させるデータ処理を施して、前記配管図面よりも縮尺の小さい小縮尺配管図面に関する小縮尺配管図形データを作成する方法において、前記配管図形データが有する複数の図形データのうち、管路を表している第１の管路図形データと第２の管路図形データとが交差する箇所についての伏せ越し部の図形データが、前記データ処理に伴って所定の大きさよりも小さくなった場合に、修正処理として、所定の大きさの新たな伏せ越し部図形データを作成することを特徴とする小縮尺配管図形データの作成方法。
【請求項５】
布設管路の配管図面に関する配管図形データに、前記配管図形データを縮小させるデータ処理を施して、前記配管図面よりも縮尺の小さい小縮尺配管図面に関する小縮尺配管図形データを作成する方法において、前記配管図形データが有する複数の図形データのうち、管路を表している第１の管路図形データと第２の管路図形データとが交差する箇所についての伏せ越し部の図形データが、前記データ処理に伴って前記交差する箇所よりもずれた場合に、修正処理として、前記交差する箇所に新たな伏せ越し部図形データを作成することを特徴とする小縮尺配管図形データの作成方法。
【発明の詳細な説明】
【技術分野】
【０００１】
本発明は、小縮尺配管図形データの作成方法に関する。
【背景技術】
【０００２】
近年、維持管理時代を迎えた水道事業において、水道配管施設の配管図面を利用して、水道配管施設の維持管理や配管調査業務などを行うことは、極めて重要になってきている。
【０００３】
このような中、水道配管施設の維持管理を行う場合には、この水道配管施設の詳細な配管位置情報が必要となるので、例えば、１／５００縮尺の配管図面を利用している。また、配管調査業務を行う場合には、調査員が広範囲にわたって図面を持ち歩くときの利便性等を考慮して、例えば、１／２５００縮尺の配管図面を利用している。なお、以下において、１／５００縮尺と１／２５００縮尺とでは、１／２５００縮尺のほうが縮尺が小さいとし、１／５００縮尺を大縮尺、１／２５００縮尺を小縮尺と記す。
【０００４】
通常、図１５に示すように、上記のような大縮尺の配管図面１や小縮尺の配管図面３は、それぞれの図面が図形データ化されたものである大縮尺配管図形データ２や小縮尺配管図形データ４から得ることができる。
【０００５】
一般に、大縮尺配管図形データ２および小縮尺配管図形データ４は、図形上、複数の地区に分割されており（以下、この地区を分割地区と記す）、それぞれの分割地区についての配管図形データからそれぞれの分割地区ごとの配管図面を得ることができる。なお、以下において、大縮尺配管図形データ２における一つの分割地区についての図形データを分割地区図形データ２ａ、小縮尺配管図形データ４における一つの分割地区についての図形データを分割地区図形データ４ａと記す。
【０００６】
分割地区図形データのそれぞれには、それぞれの地区を識別するための分割地区番号が付与されており、これにより、それぞれの分割地区ごとに図形データの作成、管理が行われている。図中の斜線部は、上記の分割地区の一つを表しており、大縮尺配管図形データ２における分割地区Ａと、小縮尺配管図形データ４における分割地区Ａとは、縮尺は異なるが、同じ地区を表している。なお、１２は、布設されている管の管種、布設年、管の長さ、布設場所などの管路の情報が蓄積されている、いわゆる管の属性データである。
【０００７】
ここで、大縮尺配管図形データ２における分割地区図形データ２ａを図１６に示す。図１６に示す分割地区図形データ２ａは、布設されている管路を表している管路図形データ５と、管路と管路とが互いに交差していることを示す伏せ越し部を表している伏せ越し部図形データ５ａと、管路の屈曲点を表している屈曲点図形データ５ｇと、道路を表している道路図形データ６と、建物を表している建物図形データ７と、管路における弁栓を表している弁栓図形データ８、管路図形データ５どうしが図形上つながっていることを示す交点を表している交点図形データ９と、大縮尺配管図形データ２における図形に関する事項を表示する注記表示データ１０ａ、１０ｂと、建物図形データ７上に表示され、建物の種類を表す記号表示データ１１ａ、１１ｂとを有する。なお、図１６および図１７において、注記表示データ１０ａ、１０ｂ並びに記号表示データ１１ａ、１１ｂを囲んでいる実線は、単なる枠線であり、図形上表れていなくても良い。また、上記の大縮尺配管図形データ２は、図示は省略するが、それぞれの図形データのレイヤーが互いに重ね合わせられたレイヤー構造とされている。
【０００８】
図１５に示すように、大縮尺配管図形データ２およびその属性データ１２と、小縮尺配管図形データ４およびその属性データ１２とは、それぞれ個々にデータ管理がされており、例えば、分割地区Ａにおいて管路が新しく布設された場合には、オペレータは、分割地区Ａについての分割地区図形データ２ａの図形上に、新設された管路の管路図形データを作成し、既存の分割地区Ａについての分割地区図形データ２ａに上書きする。また、この新設された管路についての属性データを既存の属性データ１２に上書きする。さらに、分割地区Ａについての分割地区図形データ４ａの図形上にも新設された管路の管路図形データを作成し、既存の分割地区Ａについての分割地区図形データ４ａに上書きする。また、この新設された管路についての属性データを既存の属性データ１２に上書きする。
【０００９】
上記のように、大縮尺配管図形データ２およびその属性データ１２と、小縮尺配管図形データ４およびその属性データ１２とのデータ管理を個々に行うことは、非常に手間がかかる。
【００１０】
そこで、最近では、大縮尺配管図形データ２に、この大縮尺配管図形データ２が縮小するようなデータ処理を施すことで、大縮尺配管図形データ２から小縮尺配管図形データ４を作成する方法がある。このようにすれば、大縮尺配管図形データ２に基づいて小縮尺配管図形データ４を作成することができ、作成した小縮尺配管図形データ４から小縮尺の配管図面３を得ることができる。
【００１１】
例えば、特許文献１および特許文献２には、それぞれ異なる方法で、大縮尺配管図形データ２から小縮尺配管図形データ４を得る方法が開示されている。
特許文献１には、大縮尺図面のデータを縮尺データに基づいて変更利用して小縮尺図面を作成する際に、小縮尺図面上に表示すべき文字情報と、表示すべきでない文字情報とを、その文字の大きさなどから判別し、表示すべきでないと判断された文字情報を、小縮尺図面上に表示しないようにする方法が記載されている。この方法によれば、得られる小縮尺図面が、見た目上、繁雑になることを防止することができる。
【００１２】
また、特許文献２には、大縮尺地図の第１の図形データに基づいて小縮尺地図の第２の図形データを作成する際に、あらかじめ設定している表示方式や間引き処理の方法に従って、小縮尺地図をより単純化する方法が記載されている。この方法によれば、より見やすい小縮尺地図を得ることができる。
【特許文献１】特開平７−２８２２３１号公報
【特許文献２】特開平４−２７７７８８号公報
【発明の開示】
【発明が解決しようとする課題】
【００１３】
しかし、上述のように、大縮尺配管図形データ２に、大縮尺配管図形データ２が縮小するようなデータ処理が施されると、例えば、図１６に示す分割地区図形データ２ａについて言えば、仮想線イ〜トで囲む部分のそれぞれが、図１７に示す分割地区図形データ４ａの仮想線イ´〜ト´で囲む部分のそれぞれのように、上記のデータ処理に伴って、図形上、繁雑かつ不明瞭になることがある。
【００１４】
詳細には、図１６の分割地区図形データ２ａにおける仮想線イで囲む部分においては、一方の交点図形データ９ａと他方の交点図形データ９ｂとが離れているが、この分割地区図形データ２ａに上記のデータ処理が施されると、図１７に示す分割地区図形データ４ａにおける仮想線イ´で囲む部分のように、一方の交点図形データ９ａと他方の交点図形データ９ｂとの距離が非常に接近し、分割地区図形データ２ａにおける仮想線イで囲む部分に比べて、見づらくなってしまう。
【００１５】
また、図１６の分割地区図形データ２ａにおける仮想線ロで囲む部分においては、一方の管路図形データ５ｄにおける屈曲点図形データ５ｇと他方の管路図形データ５ｅとが離れているが、この分割地区図形データ２ａに上記のデータ処理が施されると、図１７に示す分割地区図形データ４ａにおける仮想線ロ´で囲む部分のように、屈曲点図形データ５ｇと他方の管路図形データ５ｅとが非常に接近してしまい、分割地区図形データ２ａにおける仮想線ロで囲む部分に比べて、見づらくなってしまう。
【００１６】
また、図１６の分割地区図形データ２ａにおける仮想線ハで囲む部分においては、弁栓図形データ８と管路図形データ５とが離れているが、この分割地区図形データ２ａに上記のデータ処理が施されると、図１７に示す分割地区図形データ４ａにおける仮想線ハ´で囲む部分のように、弁栓図形データ８の図形上の大きさは変わらないので、弁栓図形データ８と管路図形データ５とが非常に接近してしまい、分割地区図形データ２ａにおける仮想線ハで囲む部分に比べて、見づらくなってしまう。
【００１７】
また、図１６の分割地区図形データ２ａにおける仮想線ニで囲む部分においては、一方の弁栓図形データ８ａと他方の弁栓図形データ８ｂとが離れているが、この分割地区図形データ２ａに上記のデータ処理が施されると、図１７に示す分割地区図形データ４ａにおける仮想線ニ´で囲む部分のように、弁栓図形データ８ａ、８ｂの図形上の大きさは変わらないので、一方の弁栓図形データ８ａと他方の弁栓図形データ８ｂとが重なってしまうことがあり、分割地区図形データ２ａにおける仮想線ニで囲む部分に比べて、見づらくなってしまう。
【００１８】
また、図１６の分割地区図形データ２ａにおける仮想線ホで囲む部分においては、一方の注記表示データ１０ａと他方の注記表示データ１０ｂとが離れているが、この分割地区図形データ２ａに上記のデータ処理が施されると、図１７に示す分割地区図形データ４ａにおける仮想線ホ´で囲む部分のように、注記表示データ１０ａ、１０ｂの図形上の大きさは変わらないので、一方の注記表示データ１０ａと他方の注記表示データ１０ｂとが重なってしまうことがあり、分割地区図形データ２ａにおける仮想線ホで囲む部分に比べて、見づらくなってしまう。
【００１９】
また、図１６の分割地区図形データ２ａにおける仮想線ヘで囲む部分においては、一方の記号表示データ１１ａと他方の記号表示データ１１ｂとが離れているが、この分割地区図形データ２ａに上記のデータ処理を施すと、図１７に示す分割地区図形データ４ａにおける仮想線へ´で囲む部分のように、記号表示データ１１ａ、１１ｂの図形上の大きさは変わらないので、一方の記号表示データ１１ａと他方の記号表示データ１１ｂとが重なってしまうことがあり、分割地区図形データ２ａにおける仮想線ヘで囲む部分に比べて、見づらくなってしまう。
【００２０】
さらに、図１６の分割地区図形データ２ａにおける仮想線トで囲む部分においては、一方の管路図形データ５ｄが、伏せ越し部図形データ５ａの位置において、他方の管路図形データ５ｆと交差しているが、この分割地区図形データ２ａにデータ処理を施すと、図１７に示す分割地区図形データ４ａにおける仮想線ト´で囲む部分のように、伏せ越し部図形データ５ａが縮小してしまい、かつ、何らかの原因で、交差していた位置よりもずれてしまうので、一方の管路図形データ５ｄが伏せ越し部図形データ５ａの位置において、他方の管路図形データ５ｆと交差しなくなり、分割地区図形データ２ａにおける仮想線トで囲む部分に比べて、見づらくなってしまう。
【００２１】
そこで本発明はこのような問題を解決して、配管図形データに、この配管図形データを縮小させるデータ処理を施して小縮尺配管図形データを作成する際に、このデータ処理に伴って、作成される小縮尺配管図形データが見づらくなるのを防止することを目的とする。
【課題を解決するための手段】
【００２２】
上記課題を解決するために請求項１記載の発明は、布設管路の配管図面に関する配管図形データに、前記配管図形データを縮小させるデータ処理を施して、前記配管図面よりも縮尺の小さい小縮尺配管図面に関する小縮尺配管図形データを作成する方法において、前記配管図形データが有する複数の図形データのうちの第１の図形データと第２の図形データとの図形上の距離が、前記データ処理に伴って所定の距離よりも短くなった場合に、修正処理として、前記小縮尺配管図形データにおける第１の図形データまたは第２の図形データの少なくともいずれか一方を移動させ、前記第１の図形データと前記第２の図形データとの距離を図形上離すものである。
【００２３】
このようにすると、配管図形データに施したデータ処理に伴って、前記配管図形データにおける第１の図形データと第２の図形データとの図形上の距離が所定の距離よりも短くなっても、修正処理として、小縮尺配管図形データにおける第１の図形データまたは第２の図形データの少なくともいずれか一方を移動させ、前記第１の図形データと前記第２の図形データとの距離を離すので、作成される小縮尺配管図形データが見づらくなることを防止することができる。また、例えば、配管図形データに変更などが生じた場合には、配管図形データについて図形データの作成、削除等を行い、このデータ更新後の配管図形データに基づいて小縮尺配管図形データを作成し、そのデータを用いれば、小縮尺配管図形データについてあらためて図形データの作成、削除等を行うことを省くことができる。したがって、配管図形データおよび小縮尺配管図形データの一元管理を行うことができる。
【００２４】
請求項２記載の発明は請求項１記載の小縮尺配管図形データの作成方法において、配管図形データにおける複数の図形データのそれぞれに、それぞれの図形データから一定の範囲内で表される指定領域と、前記図形データを移動させる時の移動量である移動距離とを設定し、前記配管図形データを縮小させるデータ処理に伴って、第１の図形データにおける前記指定領域内に、第２の図形データが入り込んだときには、修正処理として、前記第１の図形データまたは前記第２の図形データの少なくともどちらか一方を、設定された移動距離だけ移動させ、前記第１の図形データにおける指定領域内から前記第２の図形データを出すものである。
【００２５】
このようにすると、配管図形データにおける複数の図形データのそれぞれに、指定領域と移動距離とを設定し、データ処理に伴って、第１の図形データにおける前記指定領域内に、第２の図形データが入り込んだときには、修正処理として、前記第１の図形データまたは前記第２の図形データの少なくともどちらか一方を、設定された移動距離だけ移動させ、前記第１の図形データにおける指定領域内から前記第２の図形データを出すので、前記第１の図形データと前記第２の図形データとの距離を離すことができる。これにより、作成される小縮尺配管図形データが見づらくなることを防止することができる。
【００２６】
請求項３記載の発明は、布設管路の配管図面に関する配管図形データに、前記配管図形データを縮小させるデータ処理を施して、前記配管図面よりも縮尺の小さい小縮尺配管図面に関する小縮尺配管図形データを作成する方法において、前記配管図形データが、前記配管図形データにおける図形に関する事項を表示する複数の表示データを有しており、前記複数の表示データのそれぞれに、前記複数の表示データのそれぞれを表示するための表示領域を設定し、前記データ処理に伴って、前記複数の表示データのうちの第１の表示データにおける前記表示領域内に、第２の表示データが入り込んだときには、修正処理として、前記第１の表示データまたは前記第２の表示データのどちらか一方を非表示にするものである。
【００２７】
このようにすると、配管図形データに施したデータ処理に伴って、複数の表示データのうちの第１の表示データにおける表示領域内に、第２の表示データが入り込んだときには、修正処理として、前記第１の表示データまたは前記第２の表示データのどちらか一方を非表示にするので、どちらか一方の表示データのみを表示することができる。これにより、作成される小縮尺配管図形データが見づらくなることを防止することができる。
【００２８】
請求項４記載の発明は、布設管路の配管図面に関する配管図形データに、前記配管図形データを縮小させるデータ処理を施して、前記配管図面よりも縮尺の小さい小縮尺配管図面に関する小縮尺配管図形データを作成する方法において、前記配管図形データが有する複数の図形データのうち、管路を表している第１の管路図形データと第２の管路図形データとが交差する箇所についての伏せ越し部の図形データが、前記データ処理に伴って所定の大きさよりも小さくなった場合に、修正処理として、所定の大きさの新たな伏せ越し部図形データを作成するものである。
【００２９】
このようにすると、配管図形データに施したデータ処理に伴って伏せ越し部の図形データが所定の大きさよりも小さくなった場合であっても、修正処理として、所定の大きさの新たな伏せ越し部図形データを作成するので、作成される小縮尺配管図形データが見づらくなることを防止することができる。
【００３０】
請求項５記載の発明は、布設管路の配管図面に関する配管図形データに、前記配管図形データを縮小させるデータ処理を施して、前記配管図面よりも縮尺の小さい小縮尺配管図面に関する小縮尺配管図形データを作成する方法において、前記配管図形データが有する複数の図形データのうち、管路を表している第１の管路図形データと第２の管路図形データとが交差する箇所についての伏せ越し部の図形データが、前記データ処理に伴って前記交差する箇所よりもずれた場合に、修正処理として、前記交差する箇所に新たな伏せ越し部図形データを作成するものである。
【００３１】
このようにすると、配管図形データに施したデータ処理に伴って伏せ越し部の図形データが、第１の管路図形データと第２の管路図形データとが交差する箇所よりもずれた場合であっても、修正処理として、前記交差する箇所に新たな伏せ越し部図形データを作成するので、作成される小縮尺配管図形データが見づらくなることを防止することができる。
【発明の効果】
【００３２】
以上のように本発明によれば、配管図形データに施したデータ処理に伴って、前記配管図形データにおける第１の図形データと第２の図形データとの図形上の距離が所定の距離よりも短くなっても、修正処理として、小縮尺配管図形データにおける第１の図形データまたは第２の図形データの少なくともいずれか一方を移動させ、前記第１の図形データと前記第２の図形データとの距離を離すので、作成される小縮尺配管図形データが見づらくなることを防止することができる。また、例えば、配管図形データに変更などが生じた場合には、配管図形データについて図形データの作成、削除等を行い、このデータ更新後の配管図形データに基づいて小縮尺配管図形データを作成し、そのデータを用いれば、小縮尺配管図形データについてあらためて図形データの作成、削除等を行うことを省くことができる。したがって、配管図形データおよび小縮尺配管図形データの一元管理を行うことができる。
【００３３】
また、配管図形データにおける複数の図形データのそれぞれに、指定領域と移動距離とを設定し、データ処理に伴って、第１の図形データにおける前記指定領域内に、第２の図形データが入り込んだときには、修正処理として、前記第１の図形データまたは前記第２の図形データの少なくともどちらか一方を、設定された移動距離だけ移動させ、前記第１の図形データにおける指定領域内から前記第２の図形データを出すので、前記第１の図形データと前記第２の図形データとの距離を離すことができる。これにより、作成される小縮尺配管図形データが見づらくなることを防止することができる。
【００３４】
また、配管図形データに施したデータ処理に伴って、複数の表示データのうちの第１の表示データにおける表示領域内に、第２の表示データが入り込んだときには、修正処理として、前記第１の表示データまたは前記第２の表示データのどちらか一方を非表示にするので、どちらか一方の表示データのみを表示することができる。これにより、作成される小縮尺配管図形データが見づらくなることを防止することができる。
【００３５】
また、配管図形データに施したデータ処理に伴って伏せ越し部の図形データが所定の大きさよりも小さくなった場合であっても、修正処理として、所定の大きさの新たな伏せ越し部図形データを作成するので、作成される小縮尺配管図形データが見づらくなることを防止することができる。
【００３６】
さらに、配管図形データに施したデータ処理に伴って伏せ越し部の図形データが、第１の管路図形データと第２の管路図形データとが交差する箇所よりもずれた場合であっても、修正処理として、前記交差する箇所に新たな伏せ越し部図形データを作成するので、作成される小縮尺配管図形データが見づらくなることを防止することができる。
【発明を実施するための最良の形態】
【００３７】
本発明の実施の形態の小縮尺配管図面データの作成方法を図１〜図１４を参照しながら説明する。なお、以下において、図１５〜図１７において使用したものと同じものには、同じ符号を付すことで、その詳細な説明を省略する。
【００３８】
本発明の実施の形態の小縮尺配管図形データの作成方法に用いる装置は、図示は省略するが、例えば、種々のデータを処理するコンピュータと、オペレータに対してデータの処理状況等を表示するディスプレイと、コンピュータに対して情報を入力するためのキーボードおよびマウスと、ディスプレイに表示された内容を印刷するためのプリンタとが連携して構成されている。これにより、オペレータは、キーボードおよびマウスによりコンピュータに対して情報を入力することができるとともに、このコンピュータにより種々のデータを処理しながら、ディスプレイでその状況等を随時確認することができる。また、ディスプレイに表示された内容をプリンタによって印刷することができる。
【００３９】
このコンピュータのメモリには、図２に示すように、あらかじめ、配管図形データとしての大縮尺配管図形データ２と、日付管理テーブル２ｂと、管路の属性データ１２とが記憶されている。この日付管理テーブル２ｂは、大縮尺配管図形データ２における分割地区ごとの分割地区番号と、それぞれの分割地区図形データ２ａが作成または更新された日付とを有する。なお、図２においては、小縮尺配管図形データ１６およびその日付管理テーブル１６ｂも描かれているが、初期の段階では、これらのデータは存在していない。
【００４０】
本発明の小縮尺配管図形データの作成方法により、配管図形データとしての大縮尺配管図形データ２から、小縮尺配管図形データ１６を作成する手順としては、図１および図３（ａ）〜（ｅ）に示すように、ステップ１として、オペレータが、交点図形データ９、管路図形データ５における屈曲点図形データ５ｇ、弁栓図形データ８のそれぞれに指定領域１３および移動距離を設定するとともに、注記表示データ１０ａ（１０ｂ）および記号表示データ１１ａ（１１ｂ）に表示領域１４を設定する。なお、本実施の形態において、管路図形データ５には、指定領域および移動距離を設定しない。
【００４１】
ここで、指定領域１３とは、それぞれの図形データから一定距離の範囲内で表される領域である。なお、図示においては、この指定領域１３の輪郭を破線にて表しているが、この輪郭を示す破線は、図形上、表れていなくても良い。また、指定領域１３の形状を円形状に設定しているが、これに限らず、例えば、矩形状や楕円形状であっても良い。
【００４２】
また、移動距離とは、後述する修正処理の一つとして、それぞれの図形データを移動させる時の移動量であり、例えば、指定領域１３を図示のように円形に設定すれば、このときの移動距離は、それぞれの図形データにおける指定領域１３の半径よりも少し大きい値が好適である。
【００４３】
さらに、表示領域１４とは、表示データとしての注記表示データ１０ａ（１０ｂ）および記号表示データ１１ａ（１１ｂ）を表示するための領域であり、図示においては矩形状に表しているが、矩形以外の形状、例えば、円形状や楕円形状であっても良い。また、図示においては、この表示領域１４の輪郭を実線にて表しているが、この輪郭を示す実線は、図形上、表れていなくても良い。
【００４４】
ステップ１において、図形データに対して指定領域１３および移動距離を設定し、表示データに対して表示領域１４を設定すると、次に、ステップ２として、大縮尺配管図形データ２に、この大縮尺配管図形データ２が縮小するようなデータ処理を施す。すなわち、大縮尺配管図形データ２におけるすべての分割地区図形データ２ａに上記データ処理を施す。なお、以下においては、上記のデータ処理が施されたすべての分割地区図形データ２ａのうち、例として、図１６に示す分割地区図形データ２ａについての説明を行う。
【００４５】
上記のデータ処理により、図１６に示すような分割地区図形データ２ａから、図１７に示すような、分割地区図形データ４ａが得られる。なお、ステップ１とステップ２との順序は入れ替えても良い。
【００４６】
そして、次に、ステップ３として、データ処理の結果から得られた分割地区図形データ４ａにおいて、それぞれの図形データにおける指定領域１３内に前記それぞれの図形データと接続していない他の図形データ（以下、他の図形データと記す）が存在する箇所を検索するとともに、それぞれの表示データにおける表示領域１４内に他の表示データが存在する箇所を検索する。さらに、分割地区図形データ４ａにおいて、伏せ越し部図形データ５ａが存在する箇所を検索する。なお、指定領域１３および表示領域１４は、その領域内に他の図形データあるいは他の表示データが入り込んだか否かを検出することができるように設定されている。また、詳細は後述するが、伏せ越し部図形データ５ａは、図１０（ａ）に示すように、複数の屈曲点図形データ５ｉ、５ｉ、…を、図形上、ある一定の値よりも狭い間隔で接続することにより作成されており、伏せ越し部図形データ５ａの検索は、この一定の値よりも狭い間隔で接続されている複数の屈曲点図形データ５ｉ、５ｉ、…を検索することで行われる。これにより、伏せ越し部図形データ５ａを作成している屈曲点図形データ５ｉ、５ｉ、…と、それ以外の屈曲点図形データ５ｇとが区別されている。なお、屈曲点図形データ５ｉ、５ｉ、…と、屈曲点図形データ５ｇとを識別するために、少なくともどちらか一方に、識別データを付与しておいても良い。
【００４７】
そして、次に、ステップ４に進み、ステップ３において検索した結果から、それぞれの図形データにおける指定領域１３内に他の図形データが存在する箇所がある場合には、ステップ５に進む。
【００４８】
そして、ステップ５において、ステップ３において検出された指定領域１３のうちの一つに対して、この指定領域１３内に存在する他の図形データは複数なのか否かを判断し、例えば、存在する他の図形データが一つの場合には、ステップ６に進む。そして、この指定領域１３内に他の図形データが存在しないように、修正処理を施す。
【００４９】
詳細には、例えば、図４（ａ）の左側に示すように、一方の交点図形データ９ａにおける指定領域１３内に、他の図形データとしての他方の交点図形データ９ｂが存在する場合には、修正処理の一つとして、図４（ａ）の右側に示すように、一方の交点図形データ９ａを、管路図形データ５の図形上に沿って、ステップ１において設定した交点図形データ９ａについての移動距離だけ移動させ、この一方の交点図形データ９ａにおける指定領域１３内に、他方の交点図形データ９ｂが存在しないようにする。なお、このとき、他方の交点図形データ９ｂを移動させても良い。
【００５０】
また、例えば、図４（ｂ）の左側に示すように、一方の管路図形データ５ｄの屈曲点図形データ５ｇにおける指定領域１３内に、他方の管路図形データ５ｅが存在する場合には、修正処理の一つとして、図４（ｂ）の右側に示すように、指定領域１３内に他方の管路図形データ５ｅが存在する屈曲点図形データ５ｇを、他方の管路図形データ５ｅから遠ざかるように、ステップ１において設定した屈曲点図形データ５ｇについての移動距離だけ移動させ、この屈曲点図形データ５ｇにおける指定領域１３内に、他方の管路図形データ５ｅが存在しないようにする。
【００５１】
また、例えば、図４（ｃ）の左側に示すように、一方の管路図形データ５ｄにおける弁栓図形データ８の指定領域１３内に、他方の管路図形データ５ｅが存在する場合で、特に、一方の管路図形データ５ｄと他方の管路図形データ５ｅとがほぼ平行の場合であれば、弁栓図形データ８を一方の管路図形データ５ｄの図形上に沿って移動させても、指定領域１３内から他方の管路図形データ５ｅが出ないので、このような場合には、修正処理の一つとして、図４（ｃ）の右側に示すように、管路図形データ５における、弁栓図形データ８の中央となる位置に、屈曲点図形データ５ｈを作成し、この屈曲点図形データ５ｈを、ステップ１において設定した屈曲点図形データ５ｇについての移動距離だけ、他の管路図形データ５ｅから遠ざかる方向に移動させ、弁栓図形データ８における指定領域１３内に、他方の管路図形データ５ｅが存在しないようにする。なお、このとき、屈曲点図形データ５ｈを作成せずとも、弁栓図形データ８を他方の管路図形データ５ｅから遠ざかる方向に移動させ、移動後の弁栓図形データ８と管路図形データ５とを接続するようにしても良い。また、屈曲点図形データ５ｈを、屈曲点図形データ５ｇについての移動距離ではなく、弁栓図形データ８についての移動距離だけ動かしても良い。さらに、他方の管路図形データ５ｅに屈曲点図形データ５ｈを作成して移動させ、この他方の管路図形データ５ｅを指定領域１３内から出すようにしても良い。
【００５２】
また、例えば、図４（ｄ）の左側に示すように、管路図形データ５における一方の弁栓図形データ８ａの指定領域１３内に、管路図形データ５における他方の弁栓図形データ８ｂが存在し、かつ、他方の弁栓図形データ８ｂの指定領域１３内に、一方の弁栓図形データ８ａが存在する場合には、修正処理の一つとして、図４（ｄ）の右側に示すように、一方の弁栓図形データ８ａを、管路図形データ５の図形上に沿って左側に、他方の弁栓図形データ８ｂを、管路図形データ５の図形上に沿って右側に、弁栓図形データ８ａ、８ｂの移動距離の和がステップ１において設定した弁栓図形データ８についての移動距離となるように移動させ、弁栓図形データ８ａ、８ｂにおける指定領域１３内に、他の図形データが存在しないようにする。
【００５３】
上記のような修正処理を行うと、図１に示すように、ステップ４に戻り、それぞれの図形データにおける指定領域１３内に他の図形データが存在しなくなるまで上記の修正処理を行う。ここで、上述したステップ５において、ある図形データの指定領域１３内に存在する他の図形データが複数である場合には、ステップ７に進む。そして、ステップ７において、この指定領域１３を修正処理の対象にしないように設定し、ステップ４に戻る。これは、例えば、図５に示すように、交点図形データ９ｃが接続されている管路図形データ５において、交点図形データ９ｃの両側に、他の交点図形データ９ｄ、９ｅが存在し、かつ、これらの他の交点図形データ９ｄ、９ｅが、交点図形データ９ｃにおける指定領域１３内に共に存在している場合に、図４（ａ）を用いて説明した修正処理の方法のように、交点図形データ９ｃを管路図形データ５に沿って移動させても、交点図形データ９ｃにおける指定領域１３内に、交点図形データ９ｄまたは交点図形データ９ｅのどちらか一方が常に存在することになり、結果的に修正処理が終了しない場合が生ずる可能性があるからである。
【００５４】
図形データに対する修正処理を終えて、図１に示すようにステップ４に戻る。そして、このステップ４において、それぞれの図形データにおける指定領域１３内に他の図形データが存在する箇所がないと判断された場合には、次に、ステップ８に進む。そして、ステップ８において、ステップ３にて行った検索結果から、それぞれの表示データにおける表示領域１４内に他の表示データが存在する箇所がある場合には、ステップ９に進む。
【００５５】
そして、ステップ９において、ステップ３において検出された表示領域１４のうちの一つに対して、この表示領域１４内に存在する他の表示データは複数なのか否かを判断し、例えば、存在する他の表示データが一つの場合には、ステップ１０に進む。そして、この表示領域１４内に他の表示データが存在しないように、修正処理を施す。
【００５６】
詳細には、例えば、図６（ａ）の左側に示すように、一方の注記表示データ１０ａにおける表示領域１４内に、他方の注記表示データ１０ｂが存在する場合には、修正処理の一つとして、一方の注記表示データ１０ａと他方の注記表示データ１０ｂとの文字の大きさを比較し、文字が小さいほうの注記表示データ、この場合、注記表示データ１０ｂの表示内容を、図６（ａ）の右側に示すように、注記表示データ１０ａよりも重要度が低いとして非表示にする。このようにして、この一方の注記表示データ１０ａにおける表示領域１４内に、他方の注記表示データ１０ｂが表示されないようにする。なお、この注記表示データの文字の大きさは、この文字の高さによって規定されている。なお、文字の大きさが同じ場合には、単にどちらか一方を非表示にする。
【００５７】
また、例えば、図６（ｂ）の左側に示すように、一方の記号表示データ１１ａにおける表示領域１４内に、他方の記号表示データ１１ｂが存在する場合には、修正処理の一つとして、図６（ｂ）の右側に示すように、他方の記号表示データ１１ｂの表示内容を非表示にする。これにより、この一方の記号表示データ１１ａにおける表示領域１４内に、他方の記号表示データ１１ｂの内容が表示されないようにする。なお、記号表示データ１１ａ、１１ｂの場合、非表示にするのはどちらでも良い。
【００５８】
上記のような修正処理を行うと、図１に示すように、ステップ８に戻り、それぞれの表示データにおける表示領域１４内に他の表示データが存在しなくなるまで上記の修正処理を行う。ここで、上述したステップ９において、表示領域１４内に存在する他の表示データが複数である場合には、ステップ１１に進み、この表示領域１４を修正処理の対象にしないように設定し、ステップ８に戻る。なお、このステップ９およびステップ１１のデータ処理を省略し、表示領域１４内の他の表示データが複数であっても、そのうちの一つの表示データを選択して表示し、他の表示データを非表示しても良い。
【００５９】
次に、ステップ８において、それぞれの表示データにおける表示領域１４内に他の表示データが存在する箇所がないと判断された場合には、ステップ１２に進む。そして、ステップ１２において、ステップ３において行った検索結果から、伏せ越し部図形データ５ａが存在する箇所がある場合には、ステップ１３に移り、図７の左側に示すような、管路が交差する箇所からずれ、かつ、所定の大きさよりも小さくなっている伏せ越し部図形データ５ａに、修正処理として、伏せ越し部図形データ５ａの再作成を行い、図７の右側に示すような、所望の大きさで、かつ、前記交差する箇所からずれていない伏せ越し部図形データ５ａを作成する。
【００６０】
詳細には、まず、上記の再作成の手順として、図８に示すように、作成しようとする伏せ越し部図形データの伏せ越し距離と、伏せ越し幅を設定する。伏せ越し距離とは、図９に示すように、管路５の配管方向Ｘについての伏せ越し部図形データ５ａの長さであり、伏せ越し幅とは、配管方向Ｘに垂直なふくらみ方向Ｙについての伏せ越し部図形データ５ａの最大長さである。なお、伏せ越し部図形データ５ａが図９に示すように、管路図形データ５に対して上向きに突き出す場合には、正の伏せ越し幅とし、逆に、図示は省略するが、管路図形データ５に対して下向きに突き出す場合には、負の伏せ越し幅として、伏せ越し幅の値を設定する。なお、上記の伏せ越し距離および伏せ越し幅の設定は、ステップ１において行っても良い。
【００６１】
既に上述しているが、伏せ越し部図形データ５ａは、図１０（ａ）に示すように、複数の屈曲点図形データ５ｉ、５ｉ、…を、図形上、ある一定の値よりも狭い間隔で接続することにより作成されており、伏せ越し距離と伏せ越し幅の設定を行うと、次の手順としては、この一定の値よりも狭い間隔で接続されている屈曲点図形データ５ｉ、５ｉ、…を、図１０（ｂ）に示すように削除する。ただし、伏せ越し部図形データ５ａの両端となる屈曲点図形データ５ｊ、５ｊは、削除せずに残しておく。また、このとき、図１１に示すように、複数の伏せ越し部図形データ５ａどうしが重なっていたりなどして、伏せ越し部図形データ５ａの削除が順調に行われない箇所が発生した場合には、オペレータは、削除しようとする箇所を、例えば、マウスを用いてポリゴン状の領域１５で囲んで指定し、この領域１５内の屈曲点図形データ５ｉ、５ｉ、…を削除することができる。
【００６２】
そして、次に、図１０（ｃ）に示すように、一方の管路図形データ５ｄと他方の管路図形データ５ｆとが図形上交わる箇所が、屈曲点図形データ５ｊ、５ｊ間の中心になるように、かつ、屈曲点図形データ５ｊ、５ｊ間の距離が上記において設定した伏せ越し距離になるように、屈曲点図形データ５ｊ、５ｊを一方の管路図形データ５ｄに沿って移動させ、屈曲点図形データ５ｊ、５ｊ間の距離が、設定した伏せ越し距離となる区間を作成する。
【００６３】
そして、次に、前記区間内に複数の屈曲点図形データ５ｉ、５ｉ、…を、ある一定の値よりも狭い間隔で作成する。
そして、図１０（ｄ）に示すように、複数の屈曲点図形データ５ｉ、５ｉ、…を、前記中心に近づくに連れて伏せ越し幅の値に近づくように、かつ、前記中心に最も近い屈曲点図形データ５ｉが設定した伏せ越し幅の値と同じになるように、ふくらみ方向Ｙに向けて移動させ、すなわち、複数の屈曲点図形データ５ｉ、５ｉ、…で山型をなすように、前記屈曲点図形データ５ｉ、５ｉ、…を移動させ、一方の管路図形データ５ｄと他方の管路図形データ５ｅとが交差する箇所を中心とする所望の大きさの伏せ越し部図形データ５ａを新たに作成する。
【００６４】
なお、図１２（ａ）に示すように、伏せ越し部図形データ５ａを作成しようとした時に、伏せ越し部図形データ５ａ、５ａどうしが重なり合う場合には、図１２（ａ）の仮想線にて示す部分を削除して、図１２（ｂ）に示すような伏せ越し部図形データ５ａ、５ａを作成する。すなわち、一方の伏せ越し部図形データ５ａと他方の伏せ越し部図形データ５ａとが交わる点を接続し、それぞれの伏せ越し部図形データ５ａ、５ａにおける前記交わる点以降の部分である仮想線にて示す部分を削除する。
【００６５】
伏せ越し部図形データ５ａに対して上記のような修正処理を行うと、ステップ１２に戻り、ステップ３において検索した伏せ越し部図形データ５ａについて、再作成の作業が終わるまで上記の修正処理を行う。そして、伏せ越し部図形データ５ａの再作成の作業が終わると、小縮尺配管図形データ１６の作成作業を終了する。
【００６６】
なお、このとき、図２に示すように、作成した小縮尺配管図形データ１６におけるそれぞれの分割地区の分割地区番号を日付管理テーブル１６ｂに書き込むとともに、この分割地区番号に対応する分割地区図形データ１６ａの作成日時を日付管理テーブルに書き込む。そして、作成した小縮尺配管図形データ１６と日付管理データ１６ｂとを、コンピュータのメモリに記憶させておく。
【００６７】
以上のようにして作成された小縮尺配管図形データ１６における一つの分割地区図形データ１６ａを図１３に示す。図１３に示す分割地区図形データ１６ａは、図１６に示す分割地区図形データ２ａに基づいて作成した図形データであり、この分割地区図形データ１６ａにおける仮想線イ´〜ト´で囲む部分のそれぞれは、図１７に示す分割地区図形データ４ａにおける仮想線イ´〜ト´で囲む部分のそれぞれに対応している。
【００６８】
図１３に示すように、分割地区図形データ１６ａにおける仮想線イ´で囲む部分は、上記のステップ４〜ステップ７の修正処理により、一方の管路図形データ５ｂにおける交点図形データ９ａと他方の管路図形データ５ｃにおける交点図形データ９ｂとが離れているため、図１７に示す分割地区図形データ４ａの仮想線イ´で囲む部分に比べて見やすくなっている。しかも、修正処理において、交点図形データ９ａを移動させたことで、一方の管路図形データ５ｂと他方の管路図形データ５ｃとの距離も離れ、より一層見えやすくなっている。
【００６９】
また、分割地区図形データ１６ａにおける仮想線ロ´で囲む部分も、上記のステップ４〜ステップ７の修正処理により、一方の管路図形データ５ｄにおける屈曲点図形データデータ５ｇと他方の管路図形データ５ｅとが離れているため、図１７に示す分割地区図形データ４ａの仮想線ロ´で囲む部分に比べて、見やすくなっている。
【００７０】
また、分割地区図形データ１６ａにおける仮想線ハ´で囲む部分も、上記のステップ４〜ステップ７の修正処理により、一方の管路図形データ５ｄにおける弁栓図形データ８と、他方の管路図形データ５ｅとが離れているため、図１７に示す分割地区図形データ４ａの仮想線ハ´で囲む部分に比べて見やすくなっている。
【００７１】
また、分割地区図形データ１６ａにおける仮想線ニ´で囲む部分も、上記のステップ４〜ステップ７の修正処理により、一方の弁栓図形データ８ａと、他方の弁栓図形データ８ｂとが離れているため、図１７に示す分割地区図形データ４ａの仮想線ニ´で囲む部分に比べて見やすくなっている。
【００７２】
また、分割地区図形データ１６ａにおける仮想線ホ´で囲む部分は、上記のステップ８〜ステップ１１の修正処理により、例えば、注記表示データ１０ａの表示領域１４内に表示される注記表示データ１０ｂの表示内容が非表示にされているため、図１７に示す分割地区図形データ４ａの仮想線ホ´で囲む部分に比べて見やすくなっている。
【００７３】
また、分割地区図形データ１６ａにおける仮想線ヘ´で囲む部分も、上記のステップ８〜ステップ１１の修正処理により、例えば、記号表示データ１１ａの表示領域１４内に表示される記号表示データ１１ｂの表示内容が非表示にされているため、図１７に示す分割地区図形データ４ａの仮想線ヘ´で囲む部分に比べて見やすくなっている。
【００７４】
さらに、分割地区図形データ１６ａにおける仮想線ト´で囲む部分は、上記のステップ１２およびステップ１３の修正処理により、伏せ越し部図形データ５ａが、所定の位置に、所定の大きさで作成されるため、図１７に示す分割地区図形データ４ａの仮想線ト´で囲む部分に比べて見やすくなっている。
【００７５】
以上のように、大縮尺配管図形データ２の基づいて小縮尺配管図形データ１６を作成する際に、上記のような修正処理を施すことで、大縮尺配管図形データ２に施すデータ処理に伴って、小縮尺配管図形データが見づらくなることを防止することができる。
【００７６】
なお、上記において、ステップ４〜ステップ７、ステップ８〜ステップ１１、並びにステップ１２およびステップ１３の順番は、適宜に入れ替えても良い。
以上に示した小縮尺配管図形データの作成方法を利用して、小縮尺配管図形データ１６を作成した後に、大縮尺配管図形データ２に変更があった場合に、この小縮尺配管図形データ１６の内容を更新する方法を、図１４を用いて説明する。なお、大縮尺配管図形データ２、大縮尺配管図形データ２についての日付管理テーブル２ａ、および属性データ１２の内容は、オペレータにより、事前に更新されているものとする。
【００７７】
まず、図１４に示すように、ステップＡとして、コンピュータのメモリに小縮尺配管図形データ１６が存在するか否かを確認するために、メモリから小縮尺配管図形データ１６の読み込みを行う。
【００７８】
このとき、小縮尺配管図形データ１６およびその日付管理テーブル１６ａは、上述したように、小縮尺配管図形データ１６の作成作業が終了した時点でコンピュータのメモリに記憶されているので、ステップＢを経て、ステップＣに進む。
【００７９】
次に、ステップＣにおいて、図２に示すようなメモリから、大縮尺配管図形データ２における日付管理テーブル２ｂと、小縮尺配管図形データ１６における日付管理テーブル１６ｂとを読み取り、大縮尺配管図形データ２におけるそれぞれの分割地区図形データの更新日時と、小縮尺配管図形データ１６における前記それぞれの分割地区に対応する分割地区図形データの更新日時とを比較する。
【００８０】
そして、次に、ステップＤにおいて、大縮尺配管図形データ２における分割地区の何れかのデータ更新日時が、小縮尺配管図形データ１６における前記分割地区に対応する分割地区のデータ更新日時よりも新しくなっていれば、小縮尺配管図形データ１６が作成された後に大縮尺配管図形データ２に変更があったものとして、ステップＥに進む。なお、通常、大縮尺配管図形データ２にデータ変更が無かった場合には、大縮尺配管図形データ２におけるそれぞれの分割地区のデータ更新日時が、小縮尺配管図形データ１６における分割地区のデータ更新日時よりも新しくなることはないので、この場合には、大縮尺配管図形データ２に変更がなかったとして、ステップＤにおいてＮＯを選択し、そのまま作業を終了する。
【００８１】
ステップＥにおいて、ステップＤにてデータ更新日時が新しいと判断された大縮尺配管図形データ２の分割地区に対し、上述した小縮尺配管図形データの作成方法と同様のデータ処理を施し、この分割地区に対応する分割地区図形データ１６ａを作成する。
【００８２】
そして、次に、ステップＦに進み、分割地区図形データ１６ａにおける日付管理テーブル１６ｂに、ステップＥにて作成した分割地区図形データ１６ａについてのデータ更新日時を書き込む。
【００８３】
そして、次に、ステップＧにおいて、ステップＥにて作成した分割地区図形データ１６ａおよびその日付管理テーブルをメモリに書き込み、作業を終了する。
なお、ステップＢにおいて、小縮尺配管図形データ１６がまだ作成されていない場合には、ステップＨに進む。
【００８４】
そして、ステップＨにて、上記において説明した小縮尺配管図形データの作成方法に基づいて小縮尺配管図形データ１６を作成する。これにより、最新の大縮尺配管図形データ２に基づいて小縮尺配管図形データ１６が作成される。そして、ステップＦを経てステップＧに進み、作業を終了する。
【００８５】
以上のように、オペレータは、分割地区単位で図形データの更新をすることができ、データ変更後の分割地区図形データ１６ａを、既成の小縮尺配管図形データ１６における該当箇所に貼り付ければ、図形データの作成、削除といった作業を、小縮尺配管図形データ１６については行う必要がない。
【００８６】
このようにすることで、大縮尺配管図形データ２と小縮尺配管図形データ１６との図形データの管理を一元化することができ、データの更新作業を手間なく行うことができる。また、大縮尺配管図形データ２における属性データ１２を小縮尺配管図形データ１６についても利用すれば、属性データ１２の管理を一元化することができる。
【００８７】
さらに、小縮尺配管図形データ１６の更新作業は、大縮尺配管図形データ２および小縮尺配管図形データ１６の日付管理テーブル１６ｂに基づいて行われるため、小縮尺配管図形データ１６の更新を忘れるといったミスを確実に防止することができる。
【図面の簡単な説明】
【００８８】
【図１】本発明の小縮尺配管図形データの作成方法を示す図である。
【図２】本発明の小縮尺配管図形データの作成方法において用いるコンピュータのメモリを示している図である。
【図３】図形データに指定領域が設定され、表示データに表示領域が設定されている様子を示す図である。
【図４】図形データに修正処理が施されている様子を示す図である。
【図５】指定領域内に複数の図形データが入り込んでいる様子を示す図である。
【図６】表示データに修正処理が施されている様子を示す図である。
【図７】伏せ越し部図形データが再作成されている様子を示す図である。
【図８】伏せ越し距離および伏せ越し幅を設定している様子を示す図である。
【図９】伏せ越し距離および伏せ越し幅を図形にて表したものである。
【図１０】伏せ越し部図形データが再作成されている様子を示す図である。
【図１１】伏せ越し部図形データをポリゴン状の領域で囲んでいる状態を示す図である。
【図１２】伏せ越し部図形データが二つ重なったときにおける伏せ越し部図形データの作成方法を示す図である。
【図１３】本発明の小縮尺配管図形データの作成方法により作成された小縮尺配管図形データにおける分割地区図形データを示す図である。
【図１４】本発明の小縮尺配管図形データの作成方法を利用した小縮尺配管図形データの更新方法を示す図である。
【図１５】従来の大縮尺配管図形データおよび小縮尺配管図形データのデータ管理の様子を示す図である。
【図１６】大縮尺配管図形データにおける分割地区図形データを示す図である。
【図１７】従来の方法により、大縮尺配管図形データに基づいて作成された小縮尺配管図形データにおける分割地区図形データを示す図である。
【符号の説明】
【００８９】
１    大縮尺配管図面
２    大縮尺配管図形データ
３    小縮尺配管図面
１６    小縮尺配管図形データ
【図１】
2005128265.tif 000003
【図２】
2005128265.tif 000004
【図３】
2005128265.tif 000005
【図４】
2005128265.tif 000006
【図５】
2005128265.tif 000007
【図６】
2005128265.tif 000008
【図７】
2005128265.tif 000009
【図８】
2005128265.tif 000010
【図９】
2005128265.tif 000011
【図１０】
2005128265.tif 000012
【図１１】
2005128265.tif 000013
【図１２】
2005128265.tif 000014
【図１３】
2005128265.tif 000015
【図１４】
2005128265.tif 000016
【図１５】
2005128265.tif 000017
【図１６】
2005128265.tif 000018
【図１７】
2005128265.tif 000019